【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
光学手段によって、可動部品なしに、液体および液化生成物のタンクおよびリザーバの充填レベル、屈折率、ならびにイメージ解析を測定するためのマルチパラメータデバイスであって、光ガイド（Ｃ）により本質的に形成され、その端部に発光源（Ａ）と、イメージプロジェクタ（Ｄ）と、イメージプロセッサ及び特定のレジスタに結合された光検出器／光およびイメージセンサ受容器（Ｂ）と、が配置された計測デバイス（１）であって、
前記光ガイド（Ｃ）は、光ビームに由来する光に当接し、その内部を移動し、外部干渉せず、使用される光に透過的な素材のバーまたはロッドで構成されることができ、イメージ伝達光ファイバ等とすることができ、全内部反射（ＲＩＴ）が発生するように屈折率材料の層に伴われ、反射コーティングにより伴われ、又は、コアより小さな屈折率の表面層（ｎｄ）を有し、
前記光ガイドは、使用される素材に必要とされる幾何学形状において変化することができる長さ（Ｌ）、並びに直線的形式、「Ｕ」、「Ｓ」、及び「ジグザグ」形式、並びにその直線部分を有し、
前記ロッドにより、前記光ガイドは、画成された光の障害物の屈曲点（Ｅ）を有し、光の障害物の異なるエリア及び場所に対する変動する量の屈曲点を有するそれらの機能に対する戦略的位置において前記光ガイドの長さに沿って配列され、その構造全体を通して屈折率の漸進的変動を有する計測デバイスである
ことを特徴とするマルチパラメータデバイス。
【請求項２】
前記光ガイド（Ｃ）は、曇り止め／防曇りコーティングを、曇り止めの熱として提供される光ガイドを導通する光源によって生成される熱活用手段として有することができ、又は疎水性のコーティング又は撥水膜を提供し、光ガイドのロッドの、及びヒステリシスチャンバの冷却／加熱を提供し、前記光ガイドの温度の差，及び前記光ガイドの周りの媒質の容量の差の制御が、露点を制御することを特徴とする請求項１に記載の光学手段によって、可動部品なしに、液体および液化生成物のタンクおよびリザーバの充填レベル、屈折率、ならびにイメージ解析を測定するためのマルチパラメータデバイス。
【請求項３】
前記屈曲点は、前記屈曲点に対する必ずしも一定でない角度θ１°からθ２°の光学特性に応じた角度付けされた面の光ガイドの入射構造であり、典型的光特性は、浸漬される媒質の屈折性に関係付けられた変向点における低減／制限／偏向する光のスネル−デカルトに応じて記述され、それらは、前記光ガイドに対する逆にされたプリズムとして作用し、前記光ガイドに対して逆にされ、浸漬される前記媒質または空気によって光学的に構成され、前記変向点は、これらの異なる媒質の界面における光の入射の角度に関係付けられた特性により液体であるか気体であるかに関わらず前記光ガイドおよびそれが中に配置される前記媒質の屈折率の値に応じて光を偏向させるために使用され、前記気体および液化ガス中の液相の差の読み取りをも含むことができることを特徴とする請求項１に記載の光学手段によって、可動部品なしに、液体および液化生成物のタンクおよびリザーバの充填レベル、屈折率、ならびにイメージ解析を測定するためのマルチパラメータデバイス。
【請求項４】
前記光ガイドの前記屈曲点は、さらに表面張力によるドレインシステムを提供することができ、前記ドレインシステムは本質的に、前記屈曲点の表面上におよび前記光ガイドの表面内に、およびさらに前記光ガイドのエッジおよび空洞に流体が蓄積するのを防止するために液体の流れを促進する角度および形状の使用により設計された流路からなることを特徴とする請求項１および３のいずれか１項に記載の光学手段によって、可動部品なしに、液体および液化生成物のタンクおよびリザーバの充填レベル、屈折率、ならびにイメージ解析を測定するためのマルチパラメータデバイス。
【請求項５】
前記屈曲点は、前記屈曲点に当たる光を反射または屈折によって偏向する特性を有することにより、それらのエリアに比例して、前記光検出器に入射する光の総量を変更および制限して、前記屈曲点によって検出器／受容器で引き起こされる光の強度の変更が定量化され得るようにし、前記屈曲点は、前記検出器がそれらの差を確実に認識するような方法で、前記光ガイドに沿った光の漸進的な制御された障害を可能にすることを特徴とする請求項１および３のいずれか１項に記載の光学手段によって、可動部品なしに、液体および液化生成物のタンクおよびリザーバの充填レベル、屈折率、ならびにイメージ解析を測定するためのマルチパラメータデバイス。
【請求項６】
前記屈曲点は、前記光ガイドにおける形状およびその影響／へこみについて変動することができ、屈曲の形状は、環状とすることができ、ならびに半円、クラウンの部分、線、自由形状曲線、円錐、および前記光ガイドの形状に使用されかつ適合された他の幾何形状に変化することができることを特徴とする請求項１および３のいずれか１項に記載の光学手段によって、可動部品なしに、液体および液化生成物のタンクおよびリザーバの充填レベル、屈折率、ならびにイメージ解析を測定するためのマルチパラメータデバイス。
【請求項７】
前記発光源（Ａ）は、前記光ガイド（Ｃ）を介して、前記検出器（Ｂ）に向けて光のコリメートされたビームを発射し、前記発光源は、レーザを発光するＬＥＤ発光体、Ｏ−ＬＥＤ、ランプ、または他の光源とすることができ、単色または多色とすることができ、この光は、前記光ガイド（Ｃ）へ、およびさらに光ファイバにより導かれることができ、およびそれらのデバイスを通じて、前記マルチパラメータデバイス（１）に適した電源によって給電されることを特徴とする請求項１に記載の光学手段によって、可動部品なしに、液体および液化生成物のタンクおよびリザーバの充填レベル、屈折率、ならびにイメージ解析を測定するためのマルチパラメータデバイス。
【請求項８】
前記光検出器／光およびイメージセンサ受容器（Ｂ）は、前記光ビームの移動、または前記媒質の屈折率に、および光検出器タイプのデバイス、イメージ検出器、イメージ取り込みセンサ（Ｂ）、ＣＣＤ（電荷結合素子）、Ｃ−ＭＯＳチャンバ、または意図される用途に適した他のイメージ取り込みデバイスを通る光のスペクトルに比例する検出器上のイメージの位置の変化として含む、前記光の強度の変動を受け取りおよび検出し、収容能力による、計算によるなどの様々なタイプの動作であり得るイメージのプロセッサに直接または間接的に取り付けられ、前記光検出器により、共通または特定の電源によって接続、電力供給され、前記光検出器により、ＲＮＡ人工ニューラルネットワーク等を有する又は有しないイメージおよびデータ処理機器に接続され得ることを特徴とする請求項１に記載の光学手段によって、可動部品なしに、液体および液化生成物のタンクおよびリザーバの充填レベル、屈折率、ならびにイメージ解析を測定するためのマルチパラメータデバイス。
【請求項９】
前記イメージプロジェクタ（Ｄ）は、媒質の屈折率の測定を行うものであり、前記光検出器（Ｂ）に隣接する前記光ガイド（Ｃ）または前記光の反射のための他の媒質の端部の中央に配置された円錐プリズムによって構成されることができ、放出された前記光ビームは、前記光ガイドの側面にずらされて他のまたは様々なプリズム面の焦点にさらに反射され、またはこの媒質の屈折率、および入射光ビームに対する曲線のこの面または点の角度に応じた様々な幾何学形状により、前記光は、浸漬される媒質との界面で屈折され、最後に前記光検出器に向けられることを特徴とする請求項１に記載の光学手段によって、可動部品なしに、液体および液化生成物のタンクおよびリザーバの充填レベル、屈折率、ならびにイメージ解析を測定するためのマルチパラメータデバイス。
【請求項１０】
前記マルチパラメータデバイスは、特定の用途のために形成され構成されると、浸漬される媒質または液体の揺れにより引き起こされるその信号の急激な変動を回避するヒステリシスタンク内に配置されることができ、ヒステリシス容器は、内部および外部の連通する容器の構成を有するチャンバにより構成されることができることを特徴とする請求項１に記載の光学手段によって、可動部品なしに、液体および液化生成物のタンクおよびリザーバの充填レベル、屈折率、ならびにイメージ解析を測定するためのマルチパラメータデバイス。
【請求項１１】
前記イメージプロジェクタは、イメージにおいて引きおこされる擾乱を介して前記媒質の速度及び流れの計測を許容可能であり、前記媒質の色の区別を許容することを特徴とする、請求項８又は９に記載の光学手段によって、可動部品なしに、液体および液化生成物のタンクおよびリザーバの充填レベル、屈折率、ならびにイメージ解析を測定するためのマルチパラメータデバイス。
【請求項１２】
光ビームを受信し、識別し、及び量る前記光検出器／光およびイメージセンサ受容器（Ｂ）は、場合により、光電セル、光ダイオード、フォトトランジスタ、ＬＤＲ（光依存抵抗器）、光電池、感光検出器、又はその他であり、この光は、場合によっては、単色又は多色光であり、さらに、イメージ取り込みセンサ、ＣＣＤ（電荷結合素子）、Ｃ−ＭＯＳチャンバ、または意図される用途に適した他のイメージ取り込みデバイスであり得ることを特徴とする請求項１に記載の光学手段によって、可動部品なしに、液体および液化生成物のタンクおよびリザーバの充填レベル、屈折率、ならびにイメージ解析を測定するためのマルチパラメータデバイス。